(57)【要約】【課題】本発明は、生花のアレンジをする場合に使用する吸水アレンジフォームの花を挿す面以外を防水し、その効果のおかげでオリジナルデザインの花器を、紙やその他の安価な素材、単体で製作し、様々なアレンジフラワーを完成させられる簡易花器を提供しようとする。【解決手段】本発明は、花を挿す面以外を防水処理した吸水アレンジフォームと、それを留める機能をはじめ、合わせて、ポップ、装飾リボン、メッセージカード等が、一台の印刷で出来、それを一度に抜き型で製作した簡易花器である。【選択図】図１
2016131862.tif 000002
【特許請求の範囲】
【請求項１】
花を挿す面以外に防水処理をした吸水アレンジフォームと、それを留める仕切り機能、企業名やメッセージ等を表現出来るポップ、独立した装飾リボン、メーセージカード等を印刷し、抜き型で抜き、上記機能の花器を一度で製作出来る仕組みの簡易花器。
防水処理した吸水アレンジフォームの使用で、防水を考えずに印刷物を抜き型に合わせ、様々なデザインが出来るので、企業、店舗、個人の単位でオリジナルの花器が安価で作れる仕組み。
【発明の詳細な説明】
【技術分野】
【０００１】本発明は、生花のアレンジに必要な吸水アレンジフォームに一辺を残し防水した物を用い、それを止める仕切りや、メッセージカード、他装飾機能を備えた、印刷物で作る花器に関するものである。
【背景技術】
【０００２】従来は、陶器の花器を用意するか、バスケット、紙袋式、箱式のような防水でない花器の場合、防水素材を間に入れる等しないとアレンジを完成出来なかった。
そのようにして、アレンジする生花は、花器、吸水アレンジフォーム、防水シート、既存のメッセージカードや、ラッピング素材等必要で有り、高価な物である上に、生花店単位でのオリジナルの表現もコストの面からし難いものであった。
花器が限定される為、ある程度の大きさの企画しか生まれ難く、フラワーギフトは高価な物で気軽に贈り合える物では無かった。
【先行技術文献】
【特許文献】
【０００３】
【特許文献１】特許公開  平６−３６３１１
【特許文献２】登録実用新案  平１０−７９１６
【発明の概要】
【発明が解決しようとする課題】
【０００４】従来の生花のフラワーアレンジメントは花を固定し、防水処理をしたりするのにコストがかかり、改まったギフトに用いられる場合が多く、ブライダルの引き出物等には１、２本をセロファンで包んだ同じ様な物が多く、宅配ギフトは高価な物で特別の時にしか利用しない物であった。
商品の宣伝、企業のロゴ、新郎新婦の名前、土産物としての表現等、訴求も別のポップ、タグ、カード等はコスト面からオリジナルは用意し難く、実用的にアレンジフラワーが使われる事は難しかった。
また生花店単位でのオリジナルデザイン等も出来ず、どの生花店に行っても同じ様なアレンジが並んでしまっていた。【０００５】本発明は、この様な従来のアレンジフラワーが有していた問題を解決しようとするものであり、生花を挿す部分を除き防水加工した吸水アレンジフォームと単一の印刷物から作れる構造と抜き型で一度に製作し、コストの削減も出来、オリジナル色の出せるアレンジを、安価に製作出来るようにしたもので有る。
【課題を解決する為の手段】
【０００６】そこで、本発明にあたっては、上記課題を解決する為、花を挿す部分を除いた面に防水処理をした吸水アレンジフォームを作る。防水処理を気にする事が無いので、自由な素材でそれを留める仕切り機能を有した花器を、印刷物で作れる。同時に訴求機能ポップ、リボン機能、タグ機能等を一台の印刷で作成し、型抜きし、一度で上記アイテムを製作するため、オリジナルの表現とコストダウンを実現した。
大きな物から一輪の物まで大きさも企画も無限であり、大量の製作以外に、既存の抜き型に合わせれば、クライアントの望むデザインが小ロットでも安価で作れる。
【発明の効果】
【０００７】抜き型に合わせ、オリジナルデザインを印刷するため、アレンジの花にポップ、花器、テープリボン、タグ等を付けた差別化したアレンジが一度に製作出来、今まではどの店頭も同じ様な商品が並んで居たが、そうでは無いそれぞれの店舗のカラーを出したオリジナリティーの有るアレンジフラワーが安価で企画出来る。
防水にコストを取られる事無く、誰でも手軽に生花のオリジナルギフトを使用できる様になり、花器等の破損の心配も無いので、宅配用の企画が低コスト出来る。配送にはコストが合なかったミニアレンジも低価格帯の配送品とし、新たな客層も取り込む事が出来、以上の様な様々な効果が見込めるため、生花業界の活性化が図れる。
【図面の簡単な説明】
【０００８】
【図１】本発明の平面図
【図２】本発明の立体を示す図
【図３】本発明の変形使用例の図
【発明を実施する為の形態】
【０００９】以下本発明の形態について、図面を参照しつつ詳細に説明すれば、図１、は実施例を表すもっとも一般的な形態の防水処理をした、吸水アレンジフォーム（１）で有る。
花等を挿す天面以外は防水のコーティングが成されている（底面及び斜線部分）。
防水処理済アレンジフォーム（１）と簡易花器（２）〜（１５）を表すが、一台の印刷で、メッセージカード（６）装飾用リボン（８）（９）、ポップ（５）等が一台の印刷と、一度の抜きで作れる仕組みで、簡単に組み立てて使用出来る構造に成っている。
アレンジフォームの仕切り（２）は、谷折（４）と、山折（３）で構成され、防水処理済吸水アレンジフォームを固定し、花や装飾用リボン等を挿す事が出来る。
その横に出た造花アレンジ用仕切り（１２）は生花アレンジの際は切り取り使用し、造花アレンジの際は谷折で（２）に被せ（１４）の切り込みに造花の茎を挿しアレンジが出来る構造に成っている。
装飾リボンはハネ（８）と輪を作る（９）から成り、（１０）の差し込み部に鋭角の３辺を差し込みリボンの形を作れる構造に成っており、それを仕切り部（１１）に差し入れる仕組みに成っている。好みで（１）に行ける事も可能である。
簡易花器の色やデザインは好みで簡単に変えられ、企業、店舗、個人単位等、幅広いニーズに安価で応える事が出来る。
変形の例、図３、が有るが、三角錐型にラッピングをする変形使用例、三角錐型をグリーティングカードタイプの簡易花器にセットする例等の形態も有る。
又、抜き型もニーズに合わせ、誂える事も可能である。
【００１０】なお、本発明における防水処理済吸水アレンジフォーム（１）と、簡易花器（２）〜（１５）抜き型の形状、大きさ、素材、素材の非防水、防水、製作方法は限定されず、変える事が可能である。
また、ポップ（５）メッセージカード（６）装飾用リボン（７）は割愛して作る事も可能である。
防水処理済吸水アレンジフォーム（１）は単体での使用も出来、図３、形を変えラッピングペーパーと組み合わせたり、防水コーティングの色を変え、セロファン等の透明素材との組み合わせも可能である。
簡易花器（７）は、（１２）を使用しての造花のアレンジに使用する事も可能である。
防水処理の吸水アレンジフォームを入れずにアレンジ出来るので、空いた下段に菓子や、アクセサリー等を入れる事も可能である。
本体（７）の底面の形態は限定されず、変える事が可能である。
【符号の説明】
【００１１】１防水処理、吸水アレンジフォーム
２アレンジフォームを留める仕切り部分
３仕切り山折部
４仕切り谷折部
５ポップ部分
６メーッセージカード部分
７簡易花器本体部分
８装飾リボンハネ部
９装飾リボン輪部
１０装飾リボン差し込み部
１１装飾リボン生け込み部
１２造花アレンジ時使用仕切り
１３谷折切り取り可能部
１４造花アレンジ用切り込み部
１５固定用差し込み部
【図１】
2016131862.tif 000003
【図２】
2016131862.tif 000004
【図３】
2016131862.tif 000005